(57)【特許請求の範囲】
【請求項１】
内側の収納空間部に家庭用薄葉紙を収納するとともに、当該家庭用薄葉紙の取出口を具備する容器本体と、前記取出口を開閉するように、前記容器本体に回動自在に取り付けられた蓋体と、前記取出口を開状態にするよう前記蓋体を付勢する蓋体付勢部と、前記取出口を開状態とするために前記容器本体に係止された前記蓋体を跳ね上げて前記蓋体の係止を解除する操作部と、前記操作部を所定位置に規制するために付勢する操作付勢部と、前記取出口が閉状態とされた際に、前記取出口を封止して前記収納空間部を気密状態とする気密部と、を備える家庭用薄葉紙収納容器であって、
前記気密部は、前記容器本体に設けられ、前記取出口が閉状態とされた際に、前記蓋体に接触して前記収納空間部を気密状態とする本体側気密部を備えて成り、
前操作付勢部と前記本体側気密部とが一つの部品で構成されていることを特徴とする家庭用薄葉紙収納容器。
【請求項２】
内側の収納空間部に家庭用薄葉紙を収納するとともに、当該家庭用薄葉紙の取出口を具備する容器本体と、前記取出口を開閉するように、前記容器本体に回動自在に取り付けられた蓋体と、前記取出口を開状態にするよう前記蓋体を付勢する蓋体付勢部と、前記取出口を開状態とするために前記容器本体に係止された前記蓋体を跳ね上げて前記蓋体の係止を解除する操作部と、前記操作部を所定位置に規制するために付勢する操作付勢部と、前記取出口が閉状態とされた際に、前記取出口を封止して前記収納空間部を気密状態とする気密部と、を備える家庭用薄葉紙収納容器であって、
前記気密部は、前記容器本体に設けられ、前記取出口が閉状態とされた際に、前記蓋体に接触して前記収納空間部を気密状態とする本体側気密部を備えて成り、
前記操作付勢部と前記本体側気密部と前記蓋体付勢部とが一つの部品で構成されていることを特徴とする家庭用薄葉紙収納容器。
【請求項３】
前記部品と前記容器本体とがインサート成形されていることを特徴とする請求項１又は２に記載の家庭用薄葉紙収納容器。
【発明の詳細な説明】
【技術分野】
【０００１】
本発明は、ウェットシート等の家庭用薄葉紙を収納する家庭用薄用紙収納容器に関する。
【背景技術】
【０００２】
従来、家屋の床やトイレ、或いは人体などを拭くための家庭用薄葉紙を収納する家庭用薄葉紙収納容器が知られている。
このような家庭用薄葉紙収納容器は、取出口が設けられた容器本体と、この取出口を開閉するための蓋体とを具備している。そして、不使用時には、蓋体により取出口を閉蓋することにより、容器本体の気密性を確保して、容器本体内に収納された家庭用薄葉紙に含浸させた水やアルコール等の乾燥を防止する構造となっている。
【０００３】
例えば、特許文献１には、容器本体の開口部を被覆するシート状の気密部材に取出口を形成し、さらに、このシート状気密部材における取出口を囲む位置に気密部を設けて、取出口と気密部とを一体的に形成することにより、取出口からウェットシートの薬液の外部への蒸散を防止するウェットシート収容容器が開示されている。
また、特許文献２には、容器本体に設けられた固定蓋と容器本体の開口部を開閉する可動蓋との間に、気密部材を設け、保存時におけるウェットシートの乾燥を防止するウェットシート用の容器が開示されている。
【特許文献１】特開２００７−１７６５４４号公報
【特許文献２】米国７，０２１，４８３
【発明の開示】
【発明が解決しようとする課題】
【０００４】
しかしながら、上記特許文献１及び特許文献２の収納容器では、容器本体の取出口を閉蓋する蓋体を開閉するためのボタンと気密部材とが、別部材で構成されている。また、この蓋体を開状態とするためのばね等の付勢手段と気密部材とが、別部材で構成されている。したがって、各パーツを別々に製造しなければならないとともに、各パーツを組み立てるための工程が増え、生産性の低下に繋がり、コストの面から好ましくないという問題があった。
【０００５】
本発明の課題は、より少ないパーツで構成するとともに、組み立て工程を簡略化することにより、生産性の向上及びコストダウンを図ることができる家庭用薄葉紙収納容器を提供することである。
【課題を解決するための手段】
【０００６】
上記課題を解決するため、請求項１に記載の発明は、内側の収納空間部に家庭用薄葉紙を収納するとともに、当該家庭用薄葉紙の取出口を具備する容器本体と、前記取出口を開閉するように、前記容器本体に回動自在に取り付けられた蓋体と、前記取出口を開状態にするよう前記蓋体を付勢する蓋体付勢部と、前記取出口を開状態とするために前記容器本体に係止された前記蓋体を跳ね上げて前記蓋体の係止を解除する操作部と、前記操作部を所定位置に規制するために付勢する操作付勢部と、前記取出口が閉状態とされた際に、前記取出口を封止して前記収納空間部を気密状態とする気密部と、を備える家庭用薄葉紙収納容器であって、
前記気密部は、前記容器本体に設けられ、前記取出口が閉状態とされた際に、前記蓋体に接触して前記収納空間部を気密状態とする本体側気密部を備えて成り、
前操作付勢部と前記本体側気密部とが一つの部品で構成されていることを特徴とする。
【０００８】
請求項２に記載の発明は、内側の収納空間部に家庭用薄葉紙を収納するとともに、当該家庭用薄葉紙の取出口を具備する容器本体と、前記取出口を開閉するように、前記容器本体に回動自在に取り付けられた蓋体と、前記取出口を開状態にするよう前記蓋体を付勢する蓋体付勢部と、前記取出口を開状態とするために前記容器本体に係止された前記蓋体を跳ね上げて前記蓋体の係止を解除する操作部と、前記操作部を所定位置に規制するために付勢する操作付勢部と、前記取出口が閉状態とされた際に、前記取出口を封止して前記収納空間部を気密状態とする気密部と、を備える家庭用薄葉紙収納容器であって、
前記気密部は、前記容器本体に設けられ、前記取出口が閉状態とされた際に、前記蓋体に接触して前記収納空間部を気密状態とする本体側気密部を備えて成り、
前記操作付勢部と前記本体側気密部と前記蓋体付勢部とが一つの部品で構成されていることを特徴とする。
【０００９】
請求項３に記載の発明は、請求項１又は２に記載の家庭用薄葉紙収納容器において、前記部品と前記容器本体とがインサート成形されていることを特徴とする。
【発明の効果】
【００１０】
請求項１に記載の発明によれば、内側の収納空間部に家庭用薄葉紙を収納するとともに、家庭用薄葉紙の取出口を具備する容器本体と、取出口を開閉するように、容器本体に回動自在に取り付けられた蓋体と、取出口を開状態にするよう蓋体を付勢する蓋体付勢部と、取出口を開状態とするために容器本体に係止された蓋体を跳ね上げて蓋体の係止を解除する操作部と、操作部を所定位置に規制するために付勢する操作付勢部と、取出口が閉状態とされた際に、取出口を封止して収納空間部を気密状態とする気密部と、が備わり、気密部には、容器本体に設けられ、取出口が閉状態とされた際に、蓋体に接触して収納空間部を気密状態とする本体側気密部が備わり、操作付勢部と本体側気密部とが一つの部品で構成されている。したがって、より少ないパーツで家庭用薄葉紙収納容器が構成されるとともに、組み立て工程が簡略化されることとなって、生産性の向上及びコストダウンを図ることができる。
【００１２】
請求項２に記載の発明によれば、内側の収納空間部に家庭用薄葉紙を収納するとともに、家庭用薄葉紙の取出口を具備する容器本体と、取出口を開閉するように、容器本体に回動自在に取り付けられた蓋体と、取出口を開状態にするよう蓋体を付勢する蓋体付勢部と、取出口を開状態とするために容器本体に係止された蓋体を跳ね上げて蓋体の係止を解除する操作部と、操作部を所定位置に規制するために付勢する操作付勢部と、取出口が閉状態とされた際に、取出口を封止して収納空間部を気密状態とする気密部と、が備わり、気密部は、容器本体に設けられ、取出口が閉状態とされた際に、蓋体に接触して収納空間部を気密状態とする本体側気密部が備わり、操作付勢部と本体側気密部と蓋体付勢部とが一つの部品で構成されている。したがって、より少ないパーツで家庭用薄葉紙収納容器が構成されるとともに、組み立て工程が簡略化されることとなって、生産性の向上及びコストダウンを図ることができる。
【００１３】
請求項３に記載の発明によれば、請求項１又は２に記載の発明と同様の効果が得られるのは無論のこと、部品と容器本体とがインサート成形されているため、家庭用薄葉紙収納容器の製造工程の更なる簡略化を図ることができる。
【発明を実施するための最良の形態】
【００１４】
以下に、本発明について、図面を用いて具体的な態様を説明する。ただし、発明の範囲は、図示例に限定されない。
【００１５】
［実施形態１］
まず、本発明を適用した実施形態１に係る家庭用薄葉紙収納容器１００について、図１〜図６を参照して説明する。実施形態１の家庭用薄葉紙収納容器１００では、後述するように、操作付勢部５と本体側気密部７１とが、一つの部品Ｂ１で構成されている。
ここで、図１は、本発明を適用した好適な実施形態１として例示する家庭用薄葉紙収納容器１００を示す斜視図であり、図２は、実施形態１の家庭用薄葉紙収納容器１００を示す正面図である。図３は、実施形態１の家庭用薄葉紙収納容器１００を示す平面図である。
また、図４は、実施形態１の家庭用薄葉紙収納容器１００を示す平面図であり、上蓋３（蓋体）を破線で表し、当該上蓋３を透過した状態を図示している。図５は、図４のV−V線における実施形態１の家庭用薄葉紙収納容器１００の断面図であり、収納空間部６から家庭用薄葉紙Ｐが一枚引き出された状態を表している。更に、図６は、図５の領域Ａの要部拡大断面図である。
【００１６】
なお、以下の説明では、家庭用薄葉紙収納容器１００の前後方向をＸ軸方向として、操作部４が設けられている側を手前側とし、操作部４と反対側を後側とする。さらに、左右方向（幅方向）をＹ軸方向とし、上下方向をＺ軸方向とする。
【００１７】
実施形態１の家庭用薄葉紙収納容器１００は、例えば、図１〜図６に示すように、平面視にて略楕円形をなし全体としてドーム状に形成され、具体的には、内側にウェットシート等の家庭用薄葉紙Ｐ（図５参照）を収納する容器本体１と、この容器本体１の底面開口１１（図５参照）を塞ぐ底蓋２と、容器本体１の上部に設けられた家庭用薄葉紙Ｐの取出口１２（図５参照）を開閉するように当該容器本体１に回動自在に取り付けられた蓋体としての上蓋３と、取出口１２を開状態とするために容器本体１に係止された上蓋３（蓋体）を跳ね上げて上蓋３の係止を解除する操作部４と、操作部４を所定位置に規制するために付勢する操作付勢部５と、家庭用薄葉紙Ｐが収納される収納空間部６（図５参照）を気密状態とする気密部７（図５参照）等を備えて構成されている。
【００１８】
容器本体１は、例えば、射出成形により製造され、上下両側に開口を有し、周面が曲面形状に形成された部材であり、底面開口１１を塞ぐように底蓋２が取り付けられることにより、この底蓋２とともに家庭用薄葉紙Ｐを収納する収納空間部６を構成するものである。具体的には、容器本体１は、例えば、図２〜図５に示すように、下端部に断面略楕円形状の底面開口１１を有し、上部側ほど小径となるように湾曲して形成された周面部１３と、この周面部１３の上端に連続して形成され、収納空間部６に収納された家庭用薄葉紙Ｐを取り出すための取出口１２を具備する上面開口部１４等を備えている。
【００１９】
周面部１３の下端部と底蓋２の上端部が係合することにより、底面開口１１を塞ぐことができる一方で、当該係合を解除することにより、当該容器本体１の内側を開放（露出）させるようになっている。従って、収納空間部６に家庭用薄葉紙Ｐを収納する場合には、底蓋２を周面部１３から取り外して当該容器本体１の内側を開放して家庭用薄葉紙Ｐを収納し、その後、周面部１３に底蓋２を取り付けることにより、底面開口１１を塞ぐようになっている。
【００２０】
また、収納空間部６には、例えば、複数枚の家庭用薄葉紙Ｐ、…が積層された状態で収納されるようになっており、継続して当該収納容器から取り出せるように交互に折り重ねられている。即ち、家庭用薄葉紙Ｐを外へ引き出したときに、次の家庭用薄葉紙Ｐの上端が取出口１２よりも突出する位置まで収納空間部６から引き出されるようになっている（図５参照）。
なお、図５にあっては、家庭用薄葉紙Ｐが積層された状態を模式的に表している。
【００２１】
上面開口部１４は、例えば、平面視にて略楕円形状をなし、その略中央部に水平方向に延在する取出口１２が形成され、取出口１２よりもＸ軸方向後側に上蓋３を回動自在に取り付けるためのヒンジ取付部１５が設けられている。
【００２２】
取出口１２は、例えば、図４及び図５に示すように、上面開口部１４の略中央部に取り付けられた気密部７を構成する環状の本体側気密部７１の内縁部によって構成されている。
本体側気密部７１は、例えば、図５に示すように、取出口１２の延在方向（水平方向）に対して略垂直となるように設けられ、径方向外側に突出した凸部が上面開口部１４の内縁部に沿って形成された凹部に嵌め合わされることにより、上面開口部１４に取り付けられている。
なお、上蓋３に設けられ、本体側気密部７１に係合する上蓋側気密部７２については後述する。
【００２３】
ヒンジ取付部１５は、例えば、上蓋３をＹ軸方向の回動軸３１１、３１１（後述）に沿って回動自在に取り付けるためのものであり、Ｙ軸方向に沿って形成された凹型の軸受部１５１（図３及び図４参照）と、上蓋３を開く方向に付勢するねじりコイルバネ等により構成された蓋体付勢部１５２等を備えている。
【００２４】
軸受部１５１は、例えば、図３〜図５に示すように、上蓋３に設けられた２つの回動軸３１１、３１１に対応させてＹ軸方向に並んで設けられ、上面開口部１４の外縁よりも内側であって、取出口１２と略等しい高さとなっている。
これにより、上蓋３を閉状態となる方向に回動させた場合、上蓋３を略水平となる位置まで回動させることができる。従って、取出口１２の延在方向に対して略垂直となるように配置された本体側気密部７１と上蓋側気密部７２を適正に係合させて収納空間部６の気密性をより高めることができる。
【００２５】
上蓋３は、例えば、射出成形により製造され、取出口１２を閉塞するように容器本体１に取り付けられた状態で容器本体１の周面部１３とともにドーム状をなす部材である。具体的には、上蓋３は、例えば、容器本体１のヒンジ取付部１５に取り付けられる回動軸３１１、３１１を有する軸部分３１と、この軸部分３１から前方及び側方に延出された曲面形状の天面部３２と、この天面部３２の前端部から略真下に延出された前端面部３３等を備えている。
【００２６】
回動軸３１１、３１１は、例えば、図３及び図４に示すように、軸部分３１のＹ軸方向両側の端部から外方に突出して形成されている。
【００２７】
天面部３２は、例えば、容器本体１の周面部１３の曲率に合わせて所定の曲率を有し、上部側ほど小径となるように湾曲して形成されている。即ち、天面部３２は、例えば、その略中心部分が最も高くなるような形状となっている。
また、天面部３２の内面（下面）からは、本体側気密部７１と係合する上蓋側気密部７２が突出され、その内側に家庭用薄葉紙Ｐを下側（容器本体１側）に押さえる押さえ部３２１が形成されている。
【００２８】
上蓋側気密部７２は、例えば、本体側気密部７１先端の内側及び外側に接触するように環状部が２重に形成され、上蓋３を手前側に回動させることで本体側気密部７１が環状部の間に挟まれて係合するようになっている。この状態で、上蓋側気密部７２は取出口１２の延在方向に対して略垂直に延在するようになっている。
【００２９】
押さえ部３２１は、例えば、天面部３２の内面から容器本体１側（下側）に突出して環状に形成され、当該上蓋３を閉じた状態で取出口１２の内側に配されるようになっている。
これにより、取出口１２に係止される家庭用薄葉紙Ｐを当該取出口１２の内側に適正に押し込むことができ、上蓋３と容器本体１との間に家庭用薄葉紙Ｐが挟まった状態となることをより適正に防止することができる。
【００３０】
また、押さえ部３２１の突出長は、例えば、図５に示すように、上蓋側気密部７２の先端部よりも容器本体１側に突出される程度とされている。
これにより、上蓋３を閉じる際に、押さえ部３２１の方が上蓋側気密部７２よりも先に取出口１２に係止される家庭用薄葉紙Ｐに接触して、当該家庭用薄葉紙Ｐを押さえ部３２１により容器本体１側に押さえることができる。従って、上蓋３を閉じても家庭用薄葉紙Ｐが上蓋側気密部７２と本体側気密部７１の間に挟まったり、はみ出すことなく、本体側気密部７１と上蓋側気密部７２を適正に係合させて収納空間部６内を適正に気密状態とすることができる。
なお、押さえ部３２１の突出長は、例えば、当該押さえ部３２１の先端部が取出口１２と同じ高さか、或いは、それよりも上方に配置される程度とされるのが好ましい。
【００３１】
従って、天面部３２は、例えば、上蓋側気密部７２及び押さえ部３２１よりも内側であって取出口１２に対向する部分が最も高くなっている。
これにより、上蓋３の内側に収納空間部６から引き出されて取出口１２に係止される家庭用薄葉紙Ｐを上蓋側気密部７２の内側に気密状態で配することができる。即ち、当該上蓋３を閉じても家庭用薄葉紙Ｐが上蓋側気密部７２と本体側気密部７１の間に挟まったり、はみ出すことなく、当該家庭用薄葉紙Ｐを気密空間内に配することができる。
また、取出口１２に係止される家庭用薄葉紙Ｐは、上蓋３の下面や容器本体１の上面開口部１４等により押圧されることがなくなり、当該家庭用薄葉紙Ｐを使用の際に容易に取り出すことができる。
【００３２】
天面部３２のＸ軸方向手前側の部分は、例えば、後側に食い込むように平面視曲線状に形成され、その下面に前端面部３３が形成されている。
【００３３】
前端面部３３は、例えば、天面部３２の手前側の部分の曲線形状に沿うように湾曲して形成されている。
前端面部３３の下端部には、例えば、Ｘ軸方向後側に向けて所定の長さ突出された上蓋側凸部３３１が形成されている。
一方、上面開口部１４の取出口１２よりも前側であって、前端面部３３に対向する対向面部１６には、Ｘ軸方向前側に向けて所定の長さ突出された本体側凸部１６１が形成されている。
そして、上蓋３を取出口１２を閉塞するようにＸ軸方向前側に回動させると、当該上蓋３の上蓋側凸部３３１が上面開口部１４の対向面部１６に形成された本体側凸部１６１に係止した状態となって、上蓋３の取出口１２を開放するようなＸ軸方向後側に対する回動が規制される（図５参照）。
【００３４】
蓋体付勢部１５２は、ねじりコイルバネにより構成される場合に限られるものではなく、上蓋３を開く方向に付勢可能なものであれば如何なるもので構成しても良く、例えば、板バネ等を適用することができる。
これにより、操作部４の操作に基づいて、上蓋３が閉状態の場合において容器本体１に係止された上蓋３の係止が解除された状態では、上蓋３が回動して取出口１２を露出させるようになっている。
【００３５】
また、対向面部１６の下側には、例えば、操作部４の接触部４３が係合する被係合部１７が形成されている。
被係合部１７は、例えば、対向面部１６の表面からＸ軸方向の後側に所定の深さ座刳られ、且つ、Ｙ軸方向に沿って延在するように溝状に形成されている。そして、被係合部１７に接触部４３が係合することにより、当該操作部４の回動軸部４２（後述）を中心とする回動を規制するようになっている。
【００３６】
また、周面部１３のＸ軸方向手前側には、例えば、操作部４を取り付けるための操作部取付部１８が設けられている。
【００３７】
操作部４は、例えば、取出口１２を閉塞するように上蓋３を閉じた状態で、ユーザにより操作される操作レバー部４１がＸ軸方向前側であって斜め上向きに突出するように配設されている。また、操作部４は、例えば、容器本体１の操作部取付部１８に回動自在に取り付けられ、容器本体１に対する回動の中心軸を構成する回動軸部４２と、上蓋３の前端面部３３の下端部（一端部）に接触して当該上蓋３を跳ね上げる接触部４３とを有している。
即ち、操作部４は、例えば、操作レバー部４１と、この操作レバー部４１の後側の端部に連続して設けられた回動軸部４２と、この回動軸部４２の後側の下端部に連続して設けられ、回動軸部４２よりも厚さが薄く形成された接触部４３等を備えている。
【００３８】
接触部４３は、例えば、図３に示すように、Ｙ軸方向に並んで所定間隔を空けて２つ設けられている。
【００３９】
また、操作部４の操作レバー部４１の先端部は、例えば、平面視において家庭用薄葉紙収納容器１００の周面部１３の曲率に合わせるように所定の曲率をもって湾曲して形成されている。
【００４０】
操作付勢部５は、例えば、操作部４の下側に位置し、容器本体１に取付固定されている。そして、図５に示すように、操作付勢部５の先端部は、操作部４の操作レバー部４１の下面部に接触するように所定の曲率をもって湾曲して形成されており、操作部４の操作レバー部４１が斜め上向きを向いた位置（所定の位置）に規制するように作用する。即ち、操作付勢部５の先端部が操作部４の操作レバー部４１の下面部に接触してＺ方向上側に付勢力を付勢することにより、操作部４に接触部４３をＺ方向下側に回動させる回動力が生じる。すると、操作部４の接触部４３が当該操作付勢部５のＸ方向後側に当接して操作部４の回動が規制され、操作部４の操作レバー部４１が斜め上向きの状態で維持される。
【００４１】
ここで、本実施形態１の家庭用薄葉紙収納容器１００では、図５に示すように、操作付勢部５と、本体側気密部７１とが一つの部品Ｂ１により構成されている。具体的には、図４に示すように、操作付勢部５と本体側気密部７１とは連結部Ｃ１を介して連結されており、これら操作付勢部５と本体側気密部７１と連結部Ｃ１とは、一つの部品Ｂ１で構成される。すなわち、操作付勢部５及び本体側気密部７１は、その機能上、弾性材料により構成されることが望ましいため、一つの部品Ｂ１で構成することができる。
【００４２】
かかる部品Ｂ１を構成する材料としては、例えば、弾性材料であるポリプロピレン（ＰＰ）、シリコーンゴム（Silicon Rubber）等の合成樹脂等が用いられる。
【００４３】
また、容器本体１と部品Ｂ１は、例えば、インサート成形により製造される。即ち、例えば、まず、ポリプロピレン（ＰＰ）、ＡＢＳ樹脂等から成る容器本体１を、射出成形により製造して、金型に装填する。次に、金型にシリコーンゴム等の合成樹脂を注入して固化する。
【００４４】
操作部取付部１８は、例えば、周面部１３のＸ軸方向手前側におけるＸ軸方向略中央部から上端部にかけて後側に所定の深さ切り欠かれてなり、上端部は上面開口部１４に連続するような形状となっている。
即ち、操作部取付部１８は、例えば、容器本体１の取出口１２よりも前方の左右両側に形成され、操作部４が取り付けられる左右の壁部１８１、１８１等を備えている。
【００４５】
左右の壁部１８１、１８１の各々は、例えば、収納空間部６の外側となる位置に形成され、Ｙ軸方向に沿うように略垂直に、且つ、Ｘ軸方向に沿って延在するように起立して形成されている。また、左右の壁部１８１、１８１の各々には、例えば、操作部４の回動軸部４２が取り付けられる取付穴部１８３が設けられ、取付穴部１８３の位置規制凸部１８４（後述）の下側に、当該壁部１８１の表面から所定の深さ座刳られてなる下側穴部１８５が形成されている（図５、図６参照）。
【００４６】
取付穴部１８３は、例えば、壁部１８１からＹ軸方向に所定の深さ座刳られてなり、Ｘ軸方向に沿って延在するように長円形状に形成されている。
取付穴部１８３のＸ軸方向の長さは、例えば、操作部４をＸ軸方向にスライドさせて、操作部４による取出口１２を開状態とするための操作をロックするロック位置とアンロックするアンロック位置に配置することができる程度となっている。
ここで、操作部４のロック位置とは、接触部４３が被係合部１７に係合されることで回動軸部４２を中心とする操作部４の回動を規制する位置であり、アンロック位置とは、接触部４３と被係合部１７の係合が解除されて上蓋３を跳ね上げ可能となるように前端面部３３の下端部の下側に接触部４３が配置された位置（接触位置）のことである。即ち、操作部４がアンロック位置に配された状態では（図５参照）、取付穴部１８３の内周面の前側部分に操作部４の回動軸部４２の外面が接触した状態となる一方で、操作部４がロック位置に配された状態では、取付穴部１８３の内周面の後側部分に操作部４の回動軸部４２の外面が接触した状態となる。
【００４７】
また、取付穴部１８３の内周面のうち、Ｘ軸方向の略中央となる下側部分には、例えば、位置規制凸部１８４が上向きに突設されている。
位置規制凸部１８４は、例えば、取付穴部１８３の内周面の前側部分或いは後側部分に接触する位置にスライド移動した回動軸部４２のＸ軸方向の位置を規制するものである。即ち、操作部４をロック位置とアンロック位置との間で移動する場合には、回動軸部４２が位置規制凸部１８４を乗り越えるようにしてＸ軸方向に移動することとなる。
【００４８】
下側穴部１８５は、例えば、位置規制凸部１８４を挟むように取付穴部１８３に対向する位置に設けられている。これにより、取付穴部１８３内を回動軸部４２がＸ軸方向に移動する際に、回動軸部４２により位置規制凸部１８４が下側穴部１８５側に押し込まれて取付穴部１８３が弾性変形することとなる。
【００４９】
次に、取出口１２を開放状態とするための操作部４の操作及び当該操作のロック機構について図５及び図６を参照して説明する。
【００５０】
先ず、上蓋３が閉じられた状態から取出口１２を開放状態とする場合、操作部４を回動軸部４２が取付穴部１８３に沿ってスライドするように引き出してアンロック位置に配設する（図５参照）。このとき、回動軸部４２がＸ軸方向前側に移動して位置規制凸部１８４を乗り越える際には、位置規制凸部１８４の下側に下側穴部１８５が設けられているため、取付穴部１８３が弾性変形することとなり、操作部４をスムーズに移動させることができる。
これにより、操作部４は、接触部４３が上蓋３の前端面部３３の下端部の下側となる接触位置、即ち、アンロック位置に配置される。
【００５１】
この状態で、操作部４の操作レバー部４１が下側に移動するように操作されると、図６に示すように、操作部４は回動軸部４２を中心として接触部４３が上側に移動するように回動して、当該接触部４３が前端面部３３の下端部に接触する。このとき、前端面部３３の下端部に、本体側凸部１６１と上蓋側凸部３３１との係止力よりも大きな力が加わることで上蓋３を跳ね上げて、これにより、本体側凸部１６１と上蓋側凸部３３１との間の係止が解除され、蓋体付勢部１５２により付勢される上蓋３は、Ｘ軸方向の後側に回動して取出口１２を開放状態とするようになっている。
【００５２】
次に、操作部４をロック位置に配設する場合について説明する。
例えば、アンロック位置に配設された操作部４をロック位置に移動させる場合、当該操作部４を回動軸部４２が取付穴部１８３に沿ってスライドするように押し込む。このとき、回動軸部４２がＸ軸方向後側に移動する際には、アンロック位置に配設する場合と同様に、下側穴部１８５により取付穴部１８３が弾性変形することで回動軸部４２が位置規制凸部１８４を乗り越えて操作部４をスムーズに移動させることができる。
そして、Ｘ軸方向後側に移動する接触部４３は、被係合部１７に係合してＹ軸方向を軸心とする回動が規制された状態となり、当該接触部４３を前端面部３３の下端部に接触不可能な接触不可位置、即ち、ロック位置に配置される。
【００５３】
以上のように、本実施形態１の家庭用薄葉紙収納容器１００によれば、内側の収納空間部６に家庭用薄葉紙Ｐを収納するとともに、家庭用薄葉紙Ｐの取出口１２を具備する容器本体１と、取出口１２を開閉するように、容器本体１に回動自在に取り付けられた上蓋３（蓋体）と、取出口１２を開状態にするよう上蓋３（蓋体）を付勢する蓋体付勢部１５２と、取出口１２を開状態とするために容器本体１に係止された上蓋３（蓋体）を跳ね上げて上蓋３（蓋体）の係止を解除する操作部４と、操作部４を所定位置に規制するために付勢する操作付勢部５と、取出口１２が閉状態とされた際に、取出口１２を封止して収納空間部６を気密状態とする気密部７と、が備わり、気密部７には、容器本体１に設けられ、取出口１２が閉状態とされた際に、上蓋３（蓋体）に接触して収納空間部６を気密状態とする本体側気密部７１が備わり、操作付勢部５と本体側気密部７１とが一つの部品Ｂ１で構成されている。
したがって、より少ないパーツで家庭用薄葉紙収納容器１００が構成されるとともに、組み立て工程が簡略化されることとなって、生産性の向上及びコストダウンを図ることができる。
【００５４】
［実施形態２］
次に、本発明を適用した実施形態２に係る家庭用薄葉紙収納容器２００について、図１〜図３、図７、図８を参照して説明する。実施形態２の家庭用薄葉紙収納容器２００では、後述するように、蓋体付勢部１５２ａと本体側気密部７１ａとが、一つの部品Ｂ２で構成されている。
【００５５】
図７は、実施形態２の家庭用薄葉紙収納容器２００を示す平面図であり、上蓋３を破線で表し、当該上蓋３を透過した状態を図示している。また、図８は、図７のVIII−VIII線における実施形態２の家庭用薄葉紙収納容器２００の断面図であり、収納空間部６から家庭用薄葉紙Ｐが一枚引き出された状態を表している。
なお、以下の実施形態２において、上記実施形態１と同一の構成については同一の符号を付し、重複する説明は省略するものとする。
【００５６】
取出口１２は、例えば、図７及び図８に示すように、上面開口部１４の略中央部に取り付けられた気密部７を構成する環状の本体側気密部７１ａの内縁部によって構成されている。
本体側気密部７１ａは、例えば、図８に示すように、取出口１２の延在方向（水平方向）に対して略垂直となるように設けられ、径方向外側に突出した凸部が上面開口部１４の内縁部に沿って形成された凹部に嵌め合わされることにより、上面開口部１４に取り付けられている。
【００５７】
ヒンジ取付部１５は、例えば、上蓋３をＹ軸方向の回動軸３１１、３１１（後述）に沿って回動自在に取り付けるためのものであり、Ｙ軸方向に沿って形成された凹型の軸受部１５１（図３及び図７参照）と、上蓋３を開く方向に付勢する板バネ等の蓋体付勢部１５２ａ等を備えている。
【００５８】
ここで、本実施形態２の家庭用薄葉紙収納容器２００では、図８に示すように、容器本体１の上面部に取り付けられた環状の本体側気密部７１ａと、上蓋３を開く方向に付勢する蓋体付勢部１５２ａとが、一つの部品Ｂ２により構成されている。具体的には、図７に示すように、蓋体付勢部１５２ａと本体側気密部７１ａとは連結部Ｃ２を介して連結されており、これら蓋体付勢部１５２ａと本体側気密部７１ａと連結部Ｃ２とは、一つの部品Ｂ２で構成される。すなわち、蓋体付勢部１５２ａ及び本体側気密部７１ａは、その機能上、弾性材料により構成されることが望ましいため、一つの部品Ｂ２で構成することができる。
【００５９】
かかる部品Ｂ２を構成する材料としては、例えば、弾性材料であるポリプロピレン（ＰＰ）、シリコーンゴム（Silicon Rubber）等の合成樹脂等が用いられる。
【００６０】
また、容器本体１と部品Ｂ２は、インサート成形により製造される。即ち、例えば、まず、ポリプロピレン（ＰＰ）、ＡＢＳ樹脂等から成る容器本体１を、射出成形により製造して、金型に装填する。次に、金型にシリコーンゴム等の合成樹脂を注入して固化する。
【００６１】
以上のように、本実施形態２の家庭用薄葉紙収納容器２００によれば、内側の収納空間部６に家庭用薄葉紙Ｐを収納するとともに、家庭用薄葉紙Ｐの取出口１２を具備する容器本体１と、取出口１２を開閉するように、容器本体１に回動自在に取り付けられた上蓋３（蓋体）と、取出口１２を開状態にするよう上蓋３（蓋体）を付勢する蓋体付勢部１５２ａと、取出口１２を開状態とするために容器本体１に係止された上蓋３（蓋体）を跳ね上げて蓋体の係止を解除する操作部４と、取出口１２が閉状態とされた際に、取出口１２を封止して収納空間部６を気密状態とする気密部７と、が備わり、気密部７は、容器本体１に設けられ、取出口１２が閉状態とされた際に、上蓋３（蓋体）に接触して収納空間部６を気密状態とする本体側気密部７１ａが備わり、蓋体付勢部１５２ａと本体側気密部７１ａとが一つの部品Ｂ２で構成されている。
したがって、より少ないパーツで家庭用薄葉紙収納容器２００が構成されるとともに、組み立て工程が簡略化されることとなって、生産性の向上及びコストダウンを図ることができる。
なお、本実施形態２において、操作付勢部５ａは備えられていなくとも良い。
【００６２】
［実施形態３］
次に、本発明を適用した実施形態３に係る家庭用薄葉紙収納容器３００について、図１〜図３、図９、図１０を参照して説明する。実施形態３の家庭用薄葉紙収納容器３００では、後述するように、操作付勢部５ｂと本体側気密部７１ｂと蓋体付勢部１５２ｂとが、一つの部品Ｂ３で構成されている。
【００６３】
図９は、実施形態３の家庭用薄葉紙収納容器３００を示す平面図であり、上蓋３を破線で表し、当該上蓋３を透過した状態を図示している。また、図１０は、図９のX−X線における実施形態３の家庭用薄葉紙収納容器３００の断面図であり、収納空間部６から家庭用薄葉紙Ｐが一枚引き出された状態を表している。
なお、以下の実施形態３において、上記実施形態１と同一の構成については同一の符号を付し、重複する説明は省略するものとする。
【００６４】
取出口１２は、例えば、図９及び図１０に示すように、上面開口部１４の略中央部に取り付けられた気密部７を構成する環状の本体側気密部７１ｂの内縁部によって構成されている。
本体側気密部７１ｂは、例えば、図１０に示すように、取出口１２の延在方向（水平方向）に対して略垂直となるように設けられ、径方向外側に突出した凸部が上面開口部１４の内縁部に沿って形成された凹部に嵌め合わされることにより、上面開口部１４に取り付けられている。
【００６５】
ヒンジ取付部１５は、例えば、上蓋３をＹ軸方向の回動軸３１１、３１１に沿って回動自在に取り付けるためのものであり、Ｙ軸方向に沿って形成された凹型の軸受部１５１（図３及び図９参照）と、上蓋３を開く方向に付勢する板バネ等の蓋体付勢部１５２ｂ等を備えている。
【００６６】
操作付勢部５ｂは、例えば、操作部４の下側に位置し、容器本体１に取付固定されている。そして、図１０に示すように、操作付勢部５ｂの先端部は、操作部４の操作レバー部４１の下面部に接触するように所定の曲率をもって湾曲して形成されており、操作部４の操作レバー部４１が斜め上向きを向いた位置（所定の位置）に規制するように作用する。即ち、操作付勢部５ｂの先端部が操作部４の操作レバー部４１の下面部に接触してＺ方向上側に付勢力を付勢することにより、操作部４に接触部４３をＺ方向下側に回動させる回動力が生じる。すると、操作部４の接触部４３が当該操作付勢部５ｂのＸ方向後側に当接して操作部４の回動が規制され、操作部４の操作レバー部４１が斜め上向きの状態で維持される。
【００６７】
ここで、本実施形態３の家庭用薄葉紙収納容器３００では、図１０に示すように、操作付勢部５ｂと、本体側気密部７１ｂと、蓋体付勢部１５２ｂと、が一つの部品Ｂ３により構成されている。具体的には、図９に示すように、操作付勢部５ｂと本体側気密部７１ｂと蓋体付勢部１５２ｂとは連結部Ｃ３を介して連結されており、これら操作付勢部５ｂと本体側気密部７１ｂと蓋体付勢部１５２ｂと連結部Ｃ３とは、一つの部品Ｂ３で構成される。すなわち、操作付勢部５ｂ、本体側気密部７１ｂ及び蓋体付勢部１５２ｂは、その機能上、弾性材料により構成されることが望ましいため、一つの部品Ｂ３で構成することができる。
【００６８】
かかる部品Ｂ３を構成する材料としては、例えば、弾性材料であるポリプロピレン（ＰＰ）、シリコーンゴム（Silicon Rubber）等の合成樹脂等が用いられる。
【００６９】
また、容器本体１と部品Ｂ３は、例えば、インサート成形により製造される。即ち、例えば、まず、ポリプロピレン（ＰＰ）、ＡＢＳ樹脂等から成る容器本体１を、射出成形により製造して、金型に装填する。次に、金型にシリコーンゴム等の合成樹脂を注入して固化する。
【００７０】
以上のように、本実施形態３の家庭用薄葉紙収納容器３００によれば、内側の収納空間部６に家庭用薄葉紙Ｐを収納するとともに、家庭用薄葉紙Ｐの取出口１２を具備する容器本体１と、取出口１２を開閉するように、容器本体１に回動自在に取り付けられた上蓋３（蓋体）と、取出口１２を開状態にするよう上蓋３（蓋体）を付勢する蓋体付勢部１５２ｂと、取出口１２を開状態とするために容器本体１に係止された上蓋３（蓋体）を跳ね上げて上蓋３（蓋体）の係止を解除する操作部４と、操作部４を所定位置に規制するために付勢する操作付勢部５ｂと、取出口１２が閉状態とされた際に、取出口１２を封止して収納空間部６を気密状態とする気密部７と、が備わり、気密部７は、容器本体１に設けられ、取出口１２が閉状態とされた際に、上蓋３（蓋体）に接触して収納空間部６を気密状態とする本体側気密部７１ｂが備わり、操作付勢部５ｂと本体側気密部７１ｂと蓋体付勢部１５２ｂとが一つの部品Ｂ３で構成されている。
したがって、より少ないパーツで家庭用薄葉紙収納容器３００が構成されるとともに、組み立て工程が簡略化されることとなって、生産性の向上及びコストダウンを図ることができる。
【００７１】
なお、本発明は、上記実施形態に限定されることなく、本発明の趣旨を逸脱しない範囲において、種々の改良並びに設計の変更を行っても良い。
【００７２】
例えば、上記実施形態では、蓋体として上蓋３を例示し、蓋体側気密部として上蓋側気密部７２を例示したが、これに限られるものではなく、例えば、蓋体を収納容器の側方に設け、当該蓋体に蓋体側気密部を設けるようにしても良い。
また、例えば、インサート成形は、上記実施形態で例示した方法に限られることなく、部品（Ｂ１、Ｂ２、Ｂ３）を製造して金型に装填した後に、この金型に容器本体１を注入して固化する方法を採用しても良い。
【００７３】
加えて、家庭用薄葉紙収納容器１００、２００、３００の構成や各部の形状等は、上記実施形態に例示したものは一例であり、これらに限られるものではない。
【図面の簡単な説明】
【００７４】
【図１】本発明を適用した好適な実施形態１として例示する家庭用薄葉紙収納容器を示す斜視図である。
【図２】図１の家庭用薄葉紙収納容器を示す正面図である。
【図３】図１の家庭用薄葉紙収納容器を示す平面図である。
【図４】実施形態１の家庭用薄葉紙収納容器を示す平面図である。
【図５】図４のV−V線における実施形態１の家庭用薄葉紙収納容器の断面図である。
【図６】図５の領域Ａの要部拡大断面図である。
【図７】実施形態２の家庭用薄葉紙収納容器を示す平面図である。
【図８】図７のVIII−VIII線における実施形態２の家庭用薄葉紙収納容器の断面図である。
【図９】実施形態３の家庭用薄葉紙収納容器を示す平面図である。
【図１０】図９のX−X線における実施形態３の家庭用薄葉紙収納容器の断面図である。
【符号の説明】
【００７５】
１００    家庭用薄葉紙収納容器
１        容器本体
１２      取出口
１５２    蓋体付勢部
３        上蓋（蓋体）
４        操作部
５        操作付勢部
６        収納空間部
７        気密部
７１      本体側気密部
Ｂ１      部品
２００    家庭用薄葉紙収納容器
１５２ａ  蓋体付勢部
７１ａ    本体側付勢部
Ｂ２      部品
３００    家庭用薄葉紙収納容器
１５２ｂ  蓋体付勢部
５ｂ      操作付勢部
７１ｂ    本体側気密部
Ｂ３      部品
Ｐ        家庭用薄葉紙
【図１】
0004456627.tif 000002
【図２】
0004456627.tif 000003
【図３】
0004456627.tif 000004
【図４】
0004456627.tif 000005
【図５】
0004456627.tif 000006
【図６】
0004456627.tif 000007
【図７】
0004456627.tif 000008
【図８】
0004456627.tif 000009
【図９】
0004456627.tif 000010
【図１０】
0004456627.tif 000011